(57)【要約】【課題】体力消費を計算する電子装置を提供する。【解決手段】本発明に係る体力消費を計算する電子装置は、重力感知モジュールと、記憶モジュールと、処理モジュールと、タッチディスプレイモジュールとを備える。重力感知モジュールは、体力消費を計算する電子装置の少なくとも１つの変位を検出して少なくとも１つの変位信号を生成する。記憶モジュールは、複数の体力訓練モード及び複数の既定運動値を記憶する。処理モジュールは、少なくとも１つの変位信号を受信すると共に、それに基づいて少なくとも１つの活動値を生成し、かついずれか１つの体力訓練モードに対応する既定運動値から、少なくとも１つの活動値を控除して少なくとも１つの運動消費メッセージを生成する。タッチディスプレイモジュールは、少なくとも１つの運動消費メッセージを受信して表示させる。【選択図】図１
2016077555.tif 000002
【特許請求の範囲】
【請求項１】
重力感知モジュールと、記憶モジュールと、処理モジュールと、タッチディスプレイモジュールとを備える体力消費を計算する電子装置であって、
前記重力感知モジュールは、前記体力消費を計算する電子装置の少なくとも１つの変位を検出して少なくとも１つの変位信号を生成し、
前記記憶モジュールは、複数の体力訓練モード及び複数の既定運動値を記憶し、
前記処理モジュールは、前記重力感知モジュール及び前記記憶モジュールに電気的に接続され、前記処理モジュールが前記少なくとも１つの変位信号を受信すると共に、それに基づいて少なくとも１つの活動値を生成し、かつ前記処理モジュールは、いずれか１つの前記体力訓練モードに対応する前記既定運動値から、前記少なくとも１つの活動値を控除して少なくとも１つの運動消費メッセージを生成し、
前記タッチディスプレイモジュールは、前記処理モジュールに電気的に接続され、前記タッチディスプレイモジュールが前記少なくとも１つの運動消費メッセージを受信して表示させることを特徴とする、
体力消費を計算する電子装置。
【請求項２】
前記タッチディスプレイモジュールによって、少なくとも１回のタッチが感知された場合に、生成された少なくともい１つのタッチ信号を前記処理モジュールが受信すると共に、前記少なくとも１つのタッチ信号に基づいて、前記複数の体力訓練モードを切り換えることを特徴とする、
請求項１に記載の体力消費を計算する電子装置。
【請求項３】
前記重力感知モジュール、前記記憶モジュール、前記処理モジュール及び前記タッチディスプレイモジュールに電気的に接続される電源モジュールをさらに備え、前記電源モジュールから必要な電力を前記重力感知モジュール、前記記憶モジュール、前記処理モジュール及び前記タッチディスプレイモジュールへ供給することを特徴とする、
請求項１に記載の体力消費を計算する電子装置。
【請求項４】
前記電源モジュールに電気的に接続されるエネルギー生産モジュールをさらに備え、前記エネルギー生産モジュールは、前記体力消費を計算する電子装置の変位に基づいて、電気エネルギーを生成し、かつ前記エネルギー生産モジュールから前記電気エネルギーを前記電源モジュールへ出力することを特徴とする、
請求項３に記載の体力消費を計算する電子装置。
【請求項５】
前記処理モジュールは、前記運動消費メッセージに基づいて、２次元バーコード図形を生成すると共に、前記タッチディスプレイモジュールを介して表示させることで、外部電子装置が画像捕捉を行うと共に、前記運動消費メッセージを前記外部電子装置に記憶させることを特徴とする、
請求項１に記載の体力消費を計算する電子装置。
【請求項６】
前記体力消費を計算する電子装置は、外部固定装置に可動的に結合されることを特徴とする、
請求項１に記載の体力消費を計算する電子装置。
【請求項７】
前記処理モジュールに電気的に接続され、前記運動消費メッセージを受信して外部電子装置に送信する無線伝送モジュールをさらに備えることを特徴とする、
請求項１に記載の体力消費を計算する電子装置。
【請求項８】
前記運動消費メッセージは、文字、図形又はその組合せであることを特徴とする、
請求項１に記載の体力消費を計算する電子装置。
【請求項９】
前記記憶モジュールは、さらに使用者に設定を行うための複数の使用者モードが記憶され、かつ前記処理モジュールは、前記複数の使用者モードに基づいて、前記各体力訓練モードに対応する前記既定運動値を決定することを特徴とする、
請求項１に記載の体力消費を計算する電子装置。
【請求項１０】
前記タッチディスプレイモジュールは、少なくとも１回のタッチを感知して少なくともい１つのタッチ信号が生成された場合に、前記処理モジュールが前記少なくともい１つのタッチ信号を受信すると共に、それに基づいて前記複数の使用者モードの中に切り換えることを特徴とする、
請求項９に記載の体力消費を計算する電子装置。
【発明の詳細な説明】
【技術分野】
【０００１】
本発明は、電子装置に係り、特に、運動消費を計算する機能を有する体力消費を計算する電子装置に関するものである。
【背景技術】
【０００２】
現代人は、多忙な生活及び過重な仕事ストレスのため、多くの慢性疾患をかかりやすく、及び体重の増加に関与していると考えられている。したがって、一般大衆も、規則的かつ持続的な運動を維持することが徐々に重視され、身体的・精神的健康を維持するための基本的な道と見なされる。また、女性にとってもダイエット効果を達成することができる
【０００３】
女性達は、スラッとしたスリムな体型を維持するために、持続的に運動する以外に、飲食及び運動に関連するデータ（例えば、消費カロリー、心肺記録及び食材カロリー等）を計算することも欠かさない。これにより、痩身効果が最適に達成される。
【０００４】
しかしながら、毎日の運動量及び３食の食材カロリーを計算し、その情報データが膨大になるだけでなく、計算方式も相当複雑になる。かつ、パソコンまたはスマートフォンを介して前記情報データに対して運算を行い、運算完了のデータでも、使用者が複雑なソフトウエアプログラムを操作することによって分類または合計しなければ、当日に消費された体力またはカロリーのデータが得られない。
【発明の概要】
【発明が解決しようとする課題】
【０００５】
前述の問題点を概観し、本発明の発明者は、１種の体力消費を計算する電子装置を設計することにより、現有技術の不足点を改善すると共に、産業上の実施利用の促進を図ることを目指している。
【０００６】
本発明は、上記のような従来技術の問題点に鑑みてなされたもので、その目的は、従来技術に存在する問題点が解決される、体力消費を計算する電子装置を提供することにある。
【課題を解決するための手段】
【０００７】
本発明の目的により、本発明は、重力感知モジュールと、記憶モジュールと、処理モジュールと、タッチディスプレイモジュールとを備える体力消費を計算する電子装置を提供するものである。重力感知モジュールは、体力消費を計算する電子装置の少なくとも１つの変位を検出して少なくとも１つの変位信号を生成する。記憶モジュールは、複数の体力訓練モード及び複数の既定運動値を記憶する。処理モジュールは、重力感知モジュール及び記憶モジュールに電気的に接続され、処理モジュールが少なくとも１つの変位信号を受信すると共に、それに基づいて少なくとも１つの活動値を生成し、かつ処理モジュールは、いずれか１つの体力訓練モードに対応する既定運動値から、少なくとも１つの活動値を控除して少なくとも１つの運動消費メッセージを生成する。タッチディスプレイモジュールは、処理モジュールに電気的に接続され、タッチディスプレイモジュールが少なくとも１つの運動消費メッセージを受信して表示させる。
【０００８】
その中、タッチディスプレイモジュールによって、少なくとも１回のタッチが感知された場合に、生成された少なくともい１つのタッチ信号を処理モジュールが受信すると共に、少なくとも１つのタッチ信号に基づいて、複数の体力訓練モードを切り換える。
【０００９】
その中、体力消費を計算する電子装置は、重力感知モジュール、記憶モジュール、処理モジュール及びタッチディスプレイモジュールに電気的に接続される電源モジュールをさらに備え、電源モジュールから必要な電力を重力感知モジュール、記憶モジュール、処理モジュール及びタッチディスプレイモジュールへ供給する。
【００１０】
その中、体力消費を計算する電子装置は、電源モジュールに電気的に接続されるエネルギー生産モジュールをさらに備えることが好ましく、エネルギー生産モジュールは、体力消費を計算する電子装置の変位に基づいて、電気エネルギーを生成し、かつエネルギー生産モジュールから電気エネルギーを電源モジュールへ出力する。
【００１１】
その中、処理モジュールは、運動消費メッセージに基づいて、２次元バーコード図形を生成すると共に、タッチディスプレイモジュールを介して表示させることで、外部電子装置が画像捕捉を行うと共に、運動消費メッセージを外部電子装置に記憶させる。
【００１２】
その中、体力消費を計算する電子装置は、外部固定装置に可動的に結合される。
【００１３】
その中、体力消費を計算する電子装置は、処理モジュールに電気的に接続され、運動消費メッセージを受信して外部電子装置に送信する無線伝送モジュールをさらに備えることが好ましい。
【００１４】
その中、運動消費メッセージは、文字、図形又はその組合せである。
【００１５】
その中、記憶モジュールは、さらに使用者に設定を行うための複数の使用者モードが記憶され、かつ処理モジュールは、複数の使用者モードに基づいて、各体力訓練モードに対応する既定運動値を決定する。
【００１６】
その中、タッチディスプレイモジュールは、少なくとも１回のタッチを感知して少なくともい１つのタッチ信号が生成された場合に、処理モジュールが少なくともい１つのタッチ信号を受信すると共に、その信号に基づいて、複数の使用者モードの中に切り換える。
【発明の効果】
【００１７】
上記説明したとおり、本発明に係る体力消費を計算する電子装置は、以下に示す１つまたは複数の長所を有する。
【００１８】
（１）この体力消費を計算する電子装置は、重力感知モジュールによって、使用者が体力消費を計算する電子装置を装着する時に生成された変位作動を検出して使用者の運動消費量を計算する。これにより、使用者に、自分の運動消費量の情報を迅速に得られる利便性を提供することができると共に、従来技術分野において、使用者の運動消費量を自ら計算する必要があるという問題を解決することができる。
【００１９】
（２）この体力消費を計算する電子装置は、エネルギー生産モジュールによって、電気エネルギーを生成すると共に、電源モジュールに電力を提供することで、電源モジュールから必要な電力を体力消費を計算する電子装置の各モジュールへ供給する。これにより、体力消費を計算する電子装置が持続的に動作する能力を高めることができる。
【図面の簡単な説明】
【００２０】
【図１】本発明の体力消費を計算する電子装置の第１実施例を示す第１模式図である。
【図２】本発明の体力消費を計算する電子装置の第１実施例を示す第２模式図である。
【図３】本発明の体力消費を計算する電子装置の第２実施例を示す模式図である。
【図４】本発明の体力消費を計算する電子装置の第３実施例を示す第１模式図である。
【図５】本発明の体力消費を計算する電子装置の第３実施例を示す第２模式図である。
【図６】本発明の体力消費を計算する電子装置の第４実施例を示す模式図である。
【発明を実施するための形態】
【００２１】
本発明をより完全に理解するために、本発明の特徴、内容と長所及びそれが達成できる作用効果については、添付図面を参照して、実施例の表現形式で以下のように詳細に説明される。なお、使用された図面は、単に例示または明細書内容を補助する目的としたものであって、本発明の実施後の原寸に比例したものや精確に配置したものには何ら拘束されない。よって、図示された図面は、添付図面の比例と配置関係で解釈されてはならず、本発明を実際に実施する権利範囲に制限することを意図したものではないことについて先に説明しておきたい。
【００２２】
以下、添付図面を参照しながら、本発明の体力消費を計算する電子装置の実施例について説明する。なお、説明理解の容易性を考慮し、下記実施例の説明では、同一の部品には同一の符号が付されている。
［第１実施例］
【００２３】
図１及び図２は、それぞれ本発明の体力消費を計算する電子装置の第１実施例を示す第１模式図及び第２模式図である。図示のように、体力消費を計算する電子装置１は、重力感知モジュール１０と、記憶モジュール１１と、処理モジュール１２と、タッチディスプレイモジュール１３とを備える。重力感知モジュール１０は、体力消費を計算する電子装置１の少なくとも１つの変位を検出して少なくとも１つの変位信号１００を生成する。記憶モジュール１１は、複数の体力訓練モード１１０及び複数の既定運動値１１１を記憶する。処理モジュール１２は、重力感知モジュール１０及び記憶モジュール１１に電気的に接続され、処理モジュール１２が少なくとも１つの変位信号１００を受信すると共に、それに基づいて少なくとも１つの活動値１２０を生成し、かつ処理モジュール１２は、いずれか１つの体力訓練モード１１０に対応する既定運動値１１１から、少なくとも１つの活動値１２０を控除して少なくとも１つの運動消費メッセージ１２１を生成する。タッチディスプレイモジュール１３は、処理モジュール１２に電気的に接続され、タッチディスプレイモジュール１３が少なくとも１つの運動消費メッセージ１２１を受信して表示させる。
【００２４】
具体的に言えば、本発明の体力消費を計算する電子装置１は、使用者が装着する時に生成された変位作動に基づいて、使用者の運動消費量を計算する。これにより、使用者に、自分の運動消費量の情報を迅速に理解できる利便性を提供することができると共に、従来技術分野において、使用者の運動消費量を自ら計算する必要があるという問題を解決することができる。使用者が本発明の体力消費を計算する電子装置１を装着した後に、活動を行う時に、使用者は、体力消費を計算する電子装置１を揺らすことによって、体力消費を計算する電子装置１が変位作動を生成する。この場合、重力感知モジュール１０は、体力消費を計算する電子装置１の変位を検出して少なくとも１つの変位信号１００を生成する。
【００２５】
そして、処理モジュール１２は、重力感知モジュール１０から送信された少なくとも１つの変位信号１００を受信すると共に、それに基づいて少なくとも１つの活動値１２０を生成する。その後、処理モジュール１２は、いずれか１つの体力訓練モード１１０に対応する既定運動値１１１に基づいて、この既定運動値１１１から、少なくとも１つの活動値１２０を控除して少なくとも１つの運動消費メッセージ１２１を生成する。例えば、使用者の毎回の活動のいずれも１０カロリーである活動値１２０を生成し、かつ既定運動値１１１が３０００カロリーである時に、処理モジュール１２は、３０００カロリーから１０カロリーつづ持続的に控除し、３０００カロリーを完全に控除した時点では、使用者の当日の運動量がその一日に要する運動量に到達したことを意味する。
【００２６】
最後に、処理モジュール１２は、少なくとも１つの運動消費メッセージ１２１をタッチディスプレイモジュール１３に送信すると共に、タッチディスプレイモジュール１３が少なくとも１つの運動消費メッセージ１２１を表示させるように制御することで、使用者に自分の運動消費量の情報をわかるように提供することができる。
【００２７】
特筆すべきは、使用者が持続的に活動することで、体力消費を計算する電子装置１は止まらずに揺らしたり、持続的に変位したりすることである。この場合、重力感知モジュール１０は、体力消費を計算する電子装置１の変位を検出して複数の変位信号１００を生成する。相対的に、処理モジュール１２が複数の変位信号１００を受信した後に、同様にそれに基づいて複数の活動値１２０を生成する。それで、既定運動値１１１から、複数の活動値１２０を控除する。既定運動値１１１が完全に活動値１２０で控除した後に、使用者が当日に自分に要する運動量を完成したことを意味する。
【００２８】
さらに、本発明のタッチディスプレイモジュール１３によって、少なくとも１回のタッチ２が感知された場合に、少なくともい１つのタッチ信号１３０を生成してそのタッチ信号１３０を処理モジュール１２が受信すると共に、少なくとも１つのタッチ信号１３０に基づいて、複数の体力訓練モード１１０を切り換える。その中、複数の体力訓練モード１１０として、健康、ダイエット、肥満防止等の訓練モードが挙げられる。各体力訓練モード１１０に設定された運動量は別々である。例えば、健康の体力訓練モード１１０に消費された運動量は、ダイエットの体力訓練モード１１０よりも少ないであり、ダイエットの体力訓練モード１１０に消費された運動量は、肥満防止の体力訓練モード１１０よりも少ないである。
【００２９】
つまり、使用者は、タッチディスプレイモジュール１３をタッチすることによって、タッチディスプレイモジュール１３は、使用者の少なくとも１回のタッチ２が感知されると共に、それに対応して少なくとも１つのタッチ信号１３０を生成する。そして、処理モジュール１２は、少なくとも１つのタッチ信号１３０に基づいて、複数の体力訓練モード１１０のいすれか１つの体力訓練モード１１０を別の体力訓練モード１１０に切り換える。
【００３０】
使用者がタッチディスプレイモジュール１３を持続的にタッチし続ける時に、タッチディスプレイモジュール１３は、使用者の複数のタッチ２に基づいて、複数のタッチ信号１３０を生成する。相対的に、処理モジュール１２は、複数のタッチ信号１３０に基づいて、複数の体力訓練モード１１０を持続的に切り換える。
［第２実施例］
【００３１】
図３は、本発明の体力消費を計算する電子装置の第２実施例を示す模式図である。なお、図１と図２を併せて参照する。図示のように、本実施例における体力消費を計算する電子装置は、第１実施例における体力消費を計算する電子装置に記載の同一部品の作動方式と類似し、類似箇所についての詳細説明は省略する。しかし、特筆すべきことは、本実施例において、本発明の体力消費を計算する電子装置１は、重力感知モジュール１０、記憶モジュール１１、処理モジュール１２及びタッチディスプレイモジュール１３に電気的に接続される電源モジュール１４をさらに備えることが好ましく、それはリチウム電池であることが好ましい。電源モジュール１４から必要な電力を重力感知モジュール１０、記憶モジュール１１、処理モジュール１２及びタッチディスプレイモジュール１３へ供給する。
【００３２】
さらに、本発明の体力消費を計算する電子装置１は、電源モジュール１４に電気的に接続されるエネルギー生産モジュール１５をさらに備えることが好ましく、エネルギー生産モジュール１５は、体力消費を計算する電子装置１の変位に基づいて、電気エネルギー１５０を生成し、かつエネルギー生産モジュール１５から電気エネルギー１５０を電源モジュール１４へ出力する。
【００３３】
つまり、本発明の電源モジュール１４は、蓄電可能な電池である場合に、体力消費を計算する電子装置１は、さらにエネルギー生産モジュール１５を設置してもよく、電源モジュール１４に対して電力供給を行う。そのため、使用者が本発明の体力消費を計算する電子装置１を装着して活動する時に、体力消費を計算する電子装置１が揺れると同時に、エネルギー生産モジュール１５を揺らし始める。この場合、エネルギー生産モジュール１５は、体力消費を計算する電子装置１につれて生じる変位によって電気エネルギー１５０を生成する。その後、エネルギー生産モジュール１５は、電気エネルギー１５０を電源モジュール１４へ供給することで、電源モジュール１４に対して電力供給を行う。
【００３４】
これによって、使用者が持続的に活動すると、エネルギー生産モジュール１５は、持続的に電気エネルギー１５０を生成することによって、エネルギー生産モジュール１５は、持続的に電源モジュール１４に対して電力供給を行う。それで、体力消費を計算する電子装置１の動作時間を延長することができる。
［第３実施例］
【００３５】
図４及び図５は、それぞれ本発明の体力消費を計算する電子装置の第３実施例を示す第１模式図及び第２模式図である。なお、図１〜図３を併せて参照する。図示のように、本実施例における体力消費を計算する電子装置は、上記各実施例における体力消費を計算する電子装置に記載の同一部品の作動方式と類似し、類似箇所についての詳細説明は省略する。しかし、特筆すべきことは、本実施例において、処理モジュール１２は、運動消費メッセージ１２１に基づいて、２次元バーコード図形１２２を生成すると共に、タッチディスプレイモジュール１３を介して表示させることで、外部電子装置３が画像捕捉を行うと共に、運動消費メッセージ１２１を外部電子装置３に記憶させる。
【００３６】
例を挙げれば、本発明の処理モジュール１２は、さらに運動消費メッセージ１２１に基づいて、デジタル信号の０−１数値による符号化方式を行うことで、２次元バーコード図形１２２を生成すると共に、タッチディスプレイモジュール１３を介してラスター表示方式で表示させることができる。その後、使用者は、スマートフォンのような外部電子装置３によって、タッチディスプレイモジュール１３に表示された２次元バーコード図形１２２に対して画像捕捉を行うと共に、ソフトウエアプログラム（例えば、ＡＰＰ）によって、２次元バーコード図形１２２に対して復号を行うことで、運動消費メッセージ１２１が得られると共に、運動消費メッセージ１２１の記憶を行うことができる。
【００３７】
これにより、使用者に、外部電子装置３を用いて運動消費メッセージ１２１を記憶することが提供され、使用者が後述するデータ情報のまとめまたは処理を容易に行える。
【００３８】
さらに、本発明の体力消費を計算する電子装置１は、外部固定装置４に可動的に結合される。即ち、体力消費を計算する電子装置１は、いずれか１つの外部固定装置４（例えば、ブレスレット、アンクレットやネックレス等）に可動的に嵌合または結合され、使用者が気まぐれに身体の任意の部位に容易に装着できると共に、携帯便利な効果が達成される。
【００３９】
さらに、体力消費を計算する電子装置１は、処理モジュール１２に電気的に接続される無線伝送モジュール１６をさらに備えることが好ましく、無線伝送モジュール１６は、運動消費メッセージ１２１を受信して外部電子装置３に送信する。
【００４０】
つまり、本発明の体力消費を計算する電子装置１は、さらに無線伝送モジュール１６を設置してもよく、使用者に有線伝送方式が提供され、運動消費メッセージ１２１を外部電子装置３（例えば、パーソナルコンピュータまたはノートパソコン）に送信するか、あるいは使用者に無線伝送方式も提供され、運動消費メッセージ１２１を外部電子装置３（例えば、スマートフォンまたはパーソナル・デジタル・アシスタント）に送信する。その中、無線伝送モジュール１６の無線伝送方式は、ブルートゥース、赤外線またはワイファイ（Ｗｉｒｅｌｅｓｓ  Ｆｉｄｅｌｉｔｙ）のいずれかであってもよい。
［第４実施例］
【００４１】
図６は、本発明の体力消費を計算する電子装置の第４実施例を示す模式図である。なお、図１〜図５を併せて参照する。図示のように、本実施例における体力消費を計算する電子装置は、上記各実施例における体力消費を計算する電子装置に記載の同一部品の作動方式と類似し、類似箇所についての詳細説明は省略する。しかし、特筆すべきことは、本実施例において、記憶モジュール１１は、さらに使用者に設定を行うための複数の使用者モード１１２が記憶され、かつ処理モジュール１２は、複数の使用者モード１１２に基づいて、各体力訓練モード１１０に対応する既定運動値１１１を決定する。
【００４２】
例を挙げれば、本発明の記憶モジュール１１は、さらに複数の使用者モード１１２が記憶され、かつ体力消費を計算する電子装置１は、複数の使用者モード１１２の設定値の組合せに基づいて、体力訓練モード１１０の既定運動値１１１を決定する。即ち、複数の使用者モード１１２は、それぞれ身長、体重、年齢及び性別等の使用者情報のいずれかであってもよい。かつ、処理モジュール１２は、使用者の複数の使用者モード１１２の設定値の組合せに基づいて、各体力訓練モード１１０の既定運動値１１１を決定する。
【００４３】
例えば、使用者は、使用者モード１１２における身長の設定値を１７５センチに設定し、使用者モード１１２における体重の設定値を７０キログラムに設定し、使用者モード１１２における年齢の設定値を２４歳に設定し、及び使用者モード１１２における性別の設定値を男性に設定する場合に、処理モジュール１２は、これらの使用者モード１１２の設定値の組合せに基づいて、健康の体力訓練モード１１０、ダイエットの体力訓練モード１１０及び肥満防止の体力訓練モード１１０の既定運動値１１１の運動量値を決定する。
【００４４】
さらに、本発明のタッチディスプレイモジュール１３によって、少なくとも１回のタッチ２を感知して少なくともい１つのタッチ信号１３０が生成された場合に、少なくともい１つのタッチ信号１３０を処理モジュール１２が受信すると共に、少なくとも１つのタッチ信号１３０に基づいて、複数の使用者モード１１２の中に切り換える。即ち、使用者は、タッチディスプレイモジュール１３をタッチすることによって、タッチディスプレイモジュール１３は、使用者の少なくとも１回のタッチ２が感知されると共に、それに対応して少なくとも１つのタッチ信号１３０を生成する。そして、処理モジュール１２は、少なくとも１つのタッチ信号１３０に基づいて、複数の使用者モード１１２のいすれか１つの使用者モード１１２を別の使用者モード１１２に切り換える。
【００４５】
また、特筆すべきは、本発明の体力消費を計算する電子装置１は、体力消費を計算する電子装置１が前傾したり、後傾したり作動を感知することによって、体力訓練モード１１０または使用者モード１１２の切り換えを行うことができることである。
【００４６】
かつ、本発明の体力消費を計算する電子装置１は、さらに入力モジュール（例えば、未図示の押しボタン）を設置してもよく、使用者に上記各実施例に記載のモード及び各設定値を切り換えることが提供される。
【符号の説明】
【００４７】
１：体力消費を計算する電子装置
１０：重力感知モジュール
１００：変位信号
１１：記憶モジュール
１１０：体力訓練モード
１１１：既定運動値
１１２：使用者モード
１２：処理モジュール
１２０：活動値
１２１：運動消費メッセージ
１２２：２次元バーコード図形
１３：タッチディスプレイモジュール
１３０：タッチ信号
１４：電源モジュール
１５：エネルギー生産モジュール
１５０：電気エネルギー
１６：無線伝送モジュール
２：タッチ
３：外部電子装置
４：外部固定装置
【図１】
2016077555.tif 000003
【図２】
2016077555.tif 000004
【図３】
2016077555.tif 000005
【図４】
2016077555.tif 000006
【図５】
2016077555.tif 000007
【図６】
2016077555.tif 000008